(57)【要約】【課題】印加電圧を上げたり加熱装置を利用したりせずに転写装置を暖機する画像形成装置を提供する。【解決手段】用紙Ｓに画像を記録する感光体１２２ｅ及び転写装置１２２ｆと、これらの上流側に設けられ、用紙Ｓの姿勢を補正するレジストレーションローラ１２２ｋと、これらの下流側に設けられ、用紙Ｓに記録された画像を定着させる定着装置１２２ｇと、定着装置１２２ｇが設定温度にまで暖機された場合に、用紙Ｓの後端部がレジストレーションローラ１２２ｋに到達するまで、レジストレーションローラ１２２ｋ、感光体１２２ｅ、転写装置１２２ｆ、及び定着装置１２２ｇを正転させ、用紙Ｓの後端部がレジストレーションローラ１２２ｋに到達したときに、用紙Ｓの先端部が定着装置１２２ｇに到達するまで、レジストレーションローラ１２２ｋ、感光体１２２ｅ、転写装置１２２ｆ、及び定着装置１２２ｇを逆転させるコントローラ１２２ａとを有する。【選択図】  図１
2012037686.tif 000002
【特許請求の範囲】
【請求項１】
感光体と転写装置とを備え、前記感光体と転写装置との間に媒体を挟み込むことにより、該媒体に画像を記録する記録手段と、
前記記録手段の上流側に設けられ、前記媒体の姿勢を補正する補正手段と、
前記記録手段の下流側に設けられ、前記媒体に記録された画像を定着させる定着手段と、
前記定着手段が予め設定された設定温度にまで暖機されたと判定した場合に、前記媒体の後端部が前記補正手段に到達するまで、前記補正手段、前記記録手段、及び前記定着手段を正転させ、前記媒体の後端部が前記補正手段に到達したときに、前記媒体の先端部が前記定着手段に到達するまで、前記補正手段、前記記録手段、及び前記定着手段を逆転させる制御手段と、
を有する画像形成装置。
【請求項２】
前記制御手段は、前記転写装置の暖機完了と判断可能な程度にまで、前記転写装置の抵抗値が下がっていないと判定した場合に、前記暖機完了と判断可能な程度まで、前記補正手段、前記記録手段、及び前記定着手段に対する正転と逆転とを繰り返させることを特徴とする請求項１に記載の画像形成装置。
【請求項３】
前記制御手段は、前記補正手段、前記記録手段、及び前記定着手段の動作前に、前記転写装置の暖機完了と判断可能な程度にまで、前記転写装置の抵抗値が下がっていないと判定した場合に、前記補正手段、前記記録手段、及び前記定着手段を作動させることを特徴とする請求項１又は２に記載の画像形成装置。
【請求項４】
前記制御手段は、前記定着手段の暖機が開始された後に、前記判定処理を行うことを特徴とする請求項３に記載の画像形成装置。
【請求項５】
前記制御手段は、前記転写装置の暖機完了と判断可能な程度にまで、前記転写装置の抵抗値が下がったと判定した場合に、前記媒体を排出することを特徴とする請求項１から４のいずれか１項に記載の画像形成装置。
【発明の詳細な説明】
【技術分野】
【０００１】
本発明は、画像形成装置に関する。
【背景技術】
【０００２】
電子写真技術を用いる画像形成装置には、転写装置が搭載されている。転写装置には、ウレタンゴムなどの抵抗材料が用いられることがある。抵抗材料には温度依存性がある。例えば、抵抗材料の抵抗値は、低温環境下において、上昇する。このため、画像形成装置が寒冷地で使用される場合、転写装置の抵抗値が上昇し、印加電圧を上げても転写に必要な電流値を確保できない場合がある。そして、必要な電流値が確保されないと、転写不良が生じる場合がある。
【０００３】
転写装置を暖機する技術として、以下の特許文献１乃至３が知られている。特許文献１は、印加電圧を上げることで転写装置を暖機し、転写不良を抑えている。また、特許文献２及び特許文献３は、転写ローラを加熱する加熱装置を利用することで抵抗値を下げ、転写不良を抑えている。
【先行技術文献】
【特許文献】
【０００４】
【特許文献１】特開２０００−９８７７１号公報
【特許文献２】特開２００８−１１１９３４号公報
【特許文献３】特開２００４−２４５９４１号公報
【発明の概要】
【発明が解決しようとする課題】
【０００５】
本発明は、印加電圧を上げたり、加熱装置を利用したりせずに転写装置を暖機する画像形成装置を提供することを目的とする。
【課題を解決するための手段】
【０００６】
請求項１に記載の発明は、感光体と転写装置とを備え、前記感光体と転写装置との間に媒体を挟み込むことにより、該媒体に画像を記録する記録手段と、前記記録手段の上流側に設けられ、前記媒体の姿勢を補正する補正手段と、前記記録手段の下流側に設けられ、前記媒体に記録された画像を定着させる定着手段と、前記定着手段が予め設定された設定温度にまで暖機されたと判定した場合に、前記媒体の後端部が前記補正手段に到達するまで、前記補正手段、前記記録手段、及び前記定着手段を正転させ、前記媒体の後端部が前記補正手段に到達したときに、前記媒体の先端部が前記定着手段に到達するまで、前記補正手段、前記記録手段、及び前記定着手段を逆転させる制御手段と、を有する画像形成装置である。
【０００７】
請求項２に記載の発明は、請求項１に記載の発明において、前記制御手段は、前記転写装置の暖機完了と判断可能な程度にまで、前記転写装置の抵抗値が下がっていないと判定した場合に、前記暖機完了と判断可能な程度まで、前記補正手段、前記記録手段、及び前記定着手段に対する正転と逆転とを繰り返させることを特徴としている。
【０００８】
請求項３に記載の発明は、請求項１又は２に記載の発明において、前記制御手段は、前記補正手段、前記記録手段、及び前記定着手段の動作前に、前記転写装置の暖機完了と判断可能な程度にまで、前記転写装置の抵抗値が下がっていないと判定した場合に、前記補正手段、前記記録手段、及び前記定着手段を作動させることを特徴としている。
【０００９】
請求項４に記載の発明は、請求項３に記載の発明において、前記制御手段は、前記定着手段の暖機が開始された後に、前記判定処理を行うことを特徴としている。
【００１０】
請求項５に記載の発明は、請求項１から４のいずれか１項に記載の発明において、前記制御手段は、前記転写装置の暖機完了と判断可能な程度にまで、前記転写装置の抵抗値が下がったと判定した場合に、前記媒体を排出することを特徴としている。
【発明の効果】
【００１１】
請求項１に記載の発明によれば、印加電圧を上げたり、加熱装置を利用したりせずに転写装置を暖機することができる。
【００１２】
請求項２に記載の発明によれば、転写装置を確実に暖機することができる。
【００１３】
請求項３に記載の発明によれば、補正手段、記録手段、及び定着手段を無駄に作動させることを回避することができる。
【００１４】
請求項４に記載の発明によれば、定着手段の暖機開始前に、転写装置の抵抗値が判定されるという無駄な処理を回避することができる。
【００１５】
請求項５に記載の発明によれば、転写装置の暖機に使用した媒体を作業者が画像形成装置の内部から取り除かなくてすむ。
【図面の簡単な説明】
【００１６】
【図１】画像形成装置の構成図の一例である。
【図２】コントローラのハードウェア構成を例示するブロック図である。
【図３】コントローラと制御対象との関係を説明するためのブロック図である。
【図４】画像形成装置の動作の一例を示すフローチャートである。
【図５】レジストレーションローラ、感光体、転写装置、及び定着装置の回転動作を模式的に説明する断面図である。
【図６】レジストレーションローラ、感光体、転写装置、及び定着装置の回転動作を模式的に説明する断面図である。
【図７】レジストレーションローラ、感光体、転写装置、及び定着装置の回転動作を模式的に説明する断面図である。
【図８】レジストレーションローラ、感光体、転写装置、及び定着装置の回転動作を模式的に説明する断面図である。
【図９】画像形成装置の動作の一例を示す他のフローチャートである。
【発明を実施するための形態】
【００１７】
以下、本発明を実施するための形態について図面を参照して説明する。
【００１８】
図１は、画像形成装置１００の構成図の一例、図２は、コントローラ１２２ａのハードウェア構成を例示するブロック図である。
画像形成装置１００は、図１に示すように、原稿自動搬送装置１１０、画像読取部１２１、画像記録部１２２を有する。
【００１９】
原稿自動搬送装置１１０は、複写しようとする複数の原稿が重ねられて載置される原稿給紙トレイ１１１を有する。原稿給紙トレイ１１１に載置された複数の原稿は、順次、プラテンガラスＰＧ上の複写位置を通過して、原稿自動搬送装置１１０上に排出される。原稿自動搬送装置１１０は、画像読取部１２１と着脱自在である。
【００２０】
画像読取部１２１は、プラテンガラスＰＧ、ユーザインタフェース１２１ａ、画像処理部１２１ｂを有する。
【００２１】
ユーザインタフェース１２１ａは、液晶ディスプレイや操作ボタンなどで構成される。ユーザインタフェース１２１ａは、画像形成装置１００に対する指示を作業者から受け付ける。受け付けた指示は、コントローラ１２２ａに送られる。
【００２２】
画像処理部１２１ｂは、例えばＤＲＰ（Dynamic Reconfigurable Processor：動的再構成可能処理装置）などで構成される。画像処理部１２１ｂは、画像読取部１２１が有する不図示の撮像素子（例えばＣＣＤ（Charge Coupled Device））から入力された読取画像信号をデジタルの画像書込信号に変換する。画像処理部１２１ｂは、画像書込信号をコントローラ１２２ａに出力する。
【００２３】
画像記録部１２２は、コントローラ１２２ａ、露光装置１２２ｂ、トナーカートリッジ１２２ｃ、現像装置１２２ｄ、感光体１２２ｅ、転写装置１２２ｆ、定着装置１２２ｇ、給紙トレイ１２２ｈ、搬送ローラ１２２ｉ，１２２ｊ、レジストレーションローラ１２２ｋを有する。
【００２４】
尚、感光体１２２ｅ及び転写装置１２２ｆによって本発明の記録手段が実現される。また、レジストレーションローラ１２２ｋによって本発明の補正手段が実現される。さらに、定着装置１２２ｇによって本発明の定着手段が実現される。さらに、コントローラ１２２ａによって本発明の制御手段が実現される。
【００２５】
コントローラ１２２ａは、ユーザインタフェース１２１ａから作業者による指示を受信すると共に、画像処理部１２１ｂから画像書込信号を受信する。コントローラ１２２ａは、受信した指示や画像書込信号に基づいて、露光装置１２２ｂ、現像装置１２２ｄ、感光体１２２ｅ、転写装置１２２ｆ、定着装置ｇ、レジストレーションローラ１２２ｋ、その他の各種部品の動作を制御する。特に、感光体１２２ｅ、転写装置１２２ｆ、定着装置ｇ、及びレジストレーションローラ１２２を正転させたり、逆転させたりする。このような正転や逆転といった動作は駆動モータによる回転駆動を介して行われる。
【００２６】
コントローラ１２２ａは、図２に示すように、ＣＰＵ１１、ＳＲＡＭ(Static Random Access Memory)、ＤＲＡＭ(Dynamic RAM)やＳＤＲＡＭ（Synchronous DRAM）、ＮＶＲＡＭ（Non Volatile RAM）等のＲＡＭ１２、フラッシュメモリ等のＲＯＭ(Read Only Memory)１３及び入出力を制御するＩ／Ｏインタフェース１４等がバス１５により接続されたハードウェア構成により実現される。
【００２７】
したがって、ＣＰＵ１１がＲＡＭ１２やＲＯＭ１３等の記憶装置に格納された所要のプログラムを読み込み、当該プログラムに従った演算を行うことにより、上述したコントローラ１２２ａの機能が実現される。尚、このようなプログラムとしては後述するフローチャートに応じたプログラムとればよい。
【００２８】
感光体１２２ｅは、回転体の形状を有する。感光体１２２ｅの表面は、不図示の帯電器によって帯電される。感光体１２２ｅは、帯電された後、露光装置１２２ｂのレーザビームＬにより露光走査される。これにより、感光体１２２ｅの表面に静電潜像が形成される。静電潜像が形成された部分は、感光体１２２ｅの回転に伴い、現像装置１２２ｄ、転写装置１２２ｆを順次通過する。
【００２９】
現像装置１２２ｄは、現像剤を現像ローラＲにより現像領域に搬送する。現像剤はトナー及びキャリアを含む。現像装置１２２ｄは、現像領域を通過する静電
潜像をトナー像に現像する。トナーカートリッジ１２２ｃは、現像装置１２２ｄで消費される現像剤を補給する。トナーカートリッジ１２２ｃは、装着部材ＫＳに着脱可能に装着される。
【００３０】
転写装置１２２ｆは、回転体の形状を有する。転写装置１２２ｆは、ウレタンゴムなどの抵抗材料で構成される。転写装置１２２ｆは、感光体１２２ｅの表面に形成されたトナー像を媒体としての記録用紙Ｓに転写する。尚、媒体は、紙以外に、プラスチックであってもよい。転写装置１２２ｆは、トナーの帯電極性とは逆極性の転写電圧が不図示の電源回路から供給される。転写装置１２２ｆは、感光体１２２ｅの間に記録用紙Ｓを挟み込むことにより、該記録用紙Ｓに画像を記録する。画像が記録された記録用紙Ｓは、定着装置１２２ｇに搬送される。
【００３１】
レジストレーションローラ１２２ｋは、２つの回転体により構成される。レジストレーションローラ１２２ｋは、感光体１２２ｅ及び転写装置１２２ｆの上流側に設けられている。換言すれば、記録用紙Ｓの搬送方向の上流側にレジストレーションローラ１２２ｋが設けられている。レジストレーションローラ１２２ｋは、給紙トレイ１２２ｈから搬送ローラ１１２ｉを通じて搬送された記録用紙Ｓの姿勢を補正する。レジストレーションローラ１２２ｋは、感光体１２２ｅ上のトナー像が転写領域に移動されるタイミングに合わせて、記録用紙Ｓを搬送する。
【００３２】
定着装置１２２ｇは、回転体状の加熱ローラｈ及び加圧ローラｐを有する。加熱ローラｈはコントローラ１２２ａの制御に基づいて、不図示の電源回路を介して暖められる。定着装置１２２ｇは、感光体１２２ｅ及び転写装置１２２ｆの下流側に設けられる。換言すれば、記録用紙Ｓの搬送方向の下流側に定着装置１２２ｇが設けられている。定着装置１２２ｇは、記録用紙Ｓに記録された画像を加熱定着させる。画像が定着した記録用紙Ｓは、搬送ローラ１２２ｊを通じて排紙トレイＴＲに排紙される。
【００３３】
図３は、コントローラ１２２ａと制御対象との関係を説明するためのブロック図である。
【００３４】
コントローラ１２２ａは、加熱ローラｈの温度を検出する。温度の検出は、温度センサによって行えばよい。コントローラ１２２ａは、検出された温度が予め設定された設定温度以上である場合に、感光体１２２ｅ、転写装置１２２ｆ、定着装置１２２ｇ及びレジストレーションローラ１２２ｋを作動させる。
【００３５】
また、コントローラ１２２ａは、転写装置１２２ｆの電流値を検出する。転写装置１２２ｆの電流値の検出は、例えば、コントローラ１２２ａが転写装置１２２ｆの回転状態において、テスト用の電圧を印加し、そのときの電流値を検出することによって行われる。検出された電流値が予め設定された設定値以上である場合には、転写装置１２２ｆの暖機完了と判断可能な程度にまで、転写装置１２２ｆの抵抗値が十分下がったと判定する。逆に、検出された電流値が予め設定された設定値未満である場合には、転写装置１２２ｆの暖機完了と判断可能な程度にまで、転写装置１２２ｆの抵抗値が十分下がっていないと判定する。このような判定処理によって、転写装置１２２ｆの暖機完了が判断される。
【００３６】
尚、感光体１２２ｅ、転写装置１２２ｆ、定着装置１２２ｇ及びレジストレーションローラ１２２ｋの動作前に、コントローラ１２２ａが転写装置１２２ｆの電流値を検出し、検出された電流値が設定値以上である場合には、コントローラ１２２ａは、感光体１２２ｅ、転写装置１２２ｆ、定着装置１２２ｇ及びレジストレーションローラ１２２ｋを動作させなくてもよい。転写装置１２２ｆは既に暖まっているため、無駄な動作が回避され、消費電力が抑制される。
【００３７】
コントローラ１２２ａは、検出した加熱ローラｈの温度に基づいて定着装置１２２ｇの暖機が完了したと判定した場合に、記録用紙Ｓの後端部がレジストレーションローラ１２２ｋに到達するまで、レジストレーションローラ１２２ｋ、感光体１２２ｅ、転写装置１２２ｆ、及び定着装置１２２ｇを正転させる。そして、記録用紙Ｓの後端部がレジストレーションローラ１２２ｋに到達したときに、記録用紙Ｓの先端部が定着装置１２２ｇに到達するまで、レジストレーションローラ１２２ｋ、感光体１２２ｅ、転写装置１２２ｆ、及び定着装置１２２ｇを逆転させる。記録用紙Ｓの後端部がレジストレーションローラ１２２ｋに到達したか否かや、記録用紙Ｓの先端部が定着装置１２２ｇに到達したか否かについての判定は、例えば、記録用紙Ｓの位置を検出するセンサを利用して判定すればよい。
【００３８】
続いて、本発明の実施形態に係る画像形成装置１００の動作について、図４から図８までを参照して説明する。
【００３９】
図４は、画像形成装置１００の動作の一例を示すフローチャート、図５から図８は、レジストレーションローラ１２２ｋ、感光体１２２ｅ、転写装置１２２ｆ、及び定着装置１２２ｇの回転動作を模式的に説明する断面図である。
【００４０】
図４に示すように、画像形成装置１００のコントローラ１２２ａは、まず、定着装置１２２ｇの暖機を開始し（ステップＳ１０１）、定着装置１２２ｇの温度が設定温度以上となっているか否かを定期的に判定する（ステップＳ１０２）。
【００４１】
コントローラ１２２ａは、次いで、定着装置１２２ｇの温度が設定温度以上となったと判定した場合には（ステップＳ１０２：ＹＥＳ）、記録用紙Ｓの後端部がレジストレーションローラ１２２ｋに到達するまで、レジストレーションローラ１２２ｋ、感光体１２２ｅ、転写装置１２２ｆ、及び定着装置１２２ｇを正転させる（ステップＳ１０３，Ｓ１０４：ＮＯ）。
【００４２】
図５及び図６を参照して具体的に説明する。給紙トレイ１２２ｈから搬送された記録用紙Ｓは、レジストレーションローラ１２２ｋに到達する。レジストレーションローラ１２２ｋが正転すると、記録用紙Ｓの先端部はレジストレーションローラ１２２ｋの間に挟まれているため、記録用紙Ｓは、搬送方向の下流側である感光体１２２ｅ・転写装置１２２ｆ側に押し出され、搬送される。
【００４３】
次に、レジストレーションローラ１２２ｋから搬送された記録用紙Ｓは、感光体１２２ｅ・転写装置１２２ｆに到達する。感光体１２２ｅ・転写装置１２２ｆが正転すると、記録用紙Ｓの先端部は感光体１２２ｅと転写装置１２２ｆとの間に挟まれているため、記録用紙Ｓは、搬送方向の下流側である定着装置１２２ｇ側に押し出され、搬送される。
【００４４】
次に、感光体１２２ｅ・転写装置１２２ｆから搬送された記録用紙Ｓは、定着装置１２２ｇに到達する。定着装置１２２ｇの加熱ローラｈ・加圧ローラｐが正転すると、記録用紙Ｓの先端部は加熱ローラｈと加圧ローラｐとの間に挟まれているため、記録用紙Ｓは、図５に示すように、搬送方向の下流側に押し出される。
【００４５】
ここで、加熱ローラｈは既に暖機されている。このため、記録用紙Ｓが加熱ローラｈ・加圧ローラｐを通過すると、記録用紙Ｓのうち加熱ローラｈを通過した部分には加熱ローラｈの熱が伝わり、通過した部分は暖められる。レジストレーションローラ１２２ｋ、感光体１２２ｅ、転写装置１２２ｆ、及び定着装置１２２ｇの正転は、図６に示すように、記録用紙Ｓの後端部がレジストレーションローラ１２２ｋに到達するまで行われる。
【００４６】
図４に戻り、コントローラ１２２ａは、次いで、記録用紙Ｓの後端部がレジストレーションローラ１２２ｋに到達したと判定した場合には（ステップＳ１０４：ＹＥＳ）、記録用紙Ｓの先端部が転写装置１２２ｆに到達するまで、レジストレーションローラ１２２ｋ、感光体１２２ｅ、転写装置１２２ｆ、及び定着装置１２２ｇを逆転させる（ステップＳ１０５，Ｓ１０６：ＮＯ）。
【００４７】
図７及び図８を参照して具体的に説明する。図７に示すように、レジストレーションローラ１２２ｋ、感光体１２２ｅ、転写装置１２２ｆ、及び定着装置１２２ｇが逆転すると、記録用紙Ｓはレジストレーションローラ１２２ｋ、感光体１２２ｅ・転写装置１２２ｆ、及び加熱ローラｈ・加圧ローラｐの間にそれぞれ挟まれているため、記録用紙Ｓは、搬送方向の上流側に押し出され、搬送される。
【００４８】
ここで、図８に示すように、記録用紙Ｓのうち、既に加熱ローラｈを通過した部分が転写装置１２２ｇに到達すると、その通過部分は暖められているため、その熱が転写装置１２２ｇに伝わる。この結果、転写装置１２２ｇが暖機される。したがって、転写不良や転写不良に伴う記録画像の劣化が抑制される。レジストレーションローラ１２２ｋ、感光体１２２ｅ、転写装置１２２ｆ、及び定着装置１２２ｇの逆転は、図８に示すように、記録用紙Ｓの先端部が定着装置１２２ｇに到達するまで、行われる。このため、記録用紙Ｓの暖められた部分は、転写装置１２２ｆの逆転が停止するまで、転写装置１２２ｆの表面と接触し続ける。したがって、転写装置１２２ｆの暖機は、転写装置１２２ｆの表面全体にわたって行われる。
【００４９】
尚、記録用紙Ｓの暖められた部分の一部が転写装置１２２ｆに少なくとも接触すれば、転写装置１２２ｆは暖機されるが、転写装置１２２ｆの十分な暖機を実現するために、転写装置１２２ｆの回転によって、記録用紙Ｓの暖められた部分の全部が転写装置１２２ｆに接触することが望ましい。
【００５０】
また、記録用紙Ｓの先端部及び後端部は、少なくとも、記録用紙Ｓがレジストレーションローラ１２２ｋや定着装置１２２ｇに挟まれていれば、どこまでを先端部又は後端部とするかは任意の設計事項である。挟まれていないことに起因した記録用紙Ｓの搬送不良や、搬送不良に伴う画像形成装置１００内部での紙づまりが回避される。
【００５１】
図４に戻り、コントローラ１２２ａは、次いで、記録用紙Ｓの先端部が定着装置１２２ｇに到達したと判定した場合には（ステップＳ１０６：ＹＥＳ）、コントローラ１２２ａは、転写装置１２２ｆの抵抗値が十分に降下しているか否かを判定する（ステップＳ１０７）。当該判定処理は、上述したように、コントローラ１２２ａが転写装置１２２ｆの回転状態において、テスト用の電圧を印加し、そのときの電流値を検出することによって行われる。
【００５２】
コントローラ１２２ａは、転写装置１２２ｆの抵抗値が十分に降下していないと判定した場合には（ステップＳ１０７：ＮＯ）、ステップＳ１０３からＳ１０７の処理を繰り返す。この結果、転写装置１２２ｆはさらに暖機され、抵抗値が降下する。
【００５３】
逆に、コントローラ１２２ａは、転写装置１２２ｆの抵抗値が十分に降下したと判定した場合には（ステップＳ１０７：ＹＥＳ）、記録用紙Ｓを排紙トレイＴＲに排出する（ステップＳ１０８）。転写装置１２２ｆの抵抗値の十分な降下は、外部の環境によって、正転と逆転とを１回行っただけで起こる場合もあるし、２回以上行って起こる場合もある。１回の正転と逆転で完了すれば、消費電力の低下が図られるが、１回の正転と逆転で完了しなくても、正転と逆転は２回以上行われるため、転写装置１２２ｆは確実に暖機される。
【００５４】
図９は、画像形成装置１００の動作の一例を示す他のフローチャートである。
【００５５】
画像形成装置１００のコントローラ１２２ａは、定着装置１２２ｇの暖機を開始した後（ステップＳ２０１）、転写装置１２２ｆの抵抗値が十分降下しているか否かを判定する（ステップＳ２０２）。
【００５６】
コントローラ１２２ａは、転写装置１２２ｆの抵抗値が十分降下していないと判定した場合には（ステップＳ２０２：ＮＯ）、転写装置１２２ｆを暖機するために行う、レジストレーションローラ１２２ｋ、感光体１２２ｅ、転写装置１２２ｆ、及び定着装置１２２ｇの作動を行わせる（ステップＳ２０３）。逆に、コントローラ１２２ａは、転写装置１２２ｆの抵抗値が十分降下していると判定した場合には（ステップＳ２０２：ＹＥＳ）、レジストレーションローラ１２２ｋ等に対するこのような作動を行わせない。
【００５７】
すなわち、図４を参照して説明したフローチャートにおいて、定着装置１２２ｇの暖機開始直後に、転写装置１２２ｆに対する抵抗値の判定処理を加えている。転写装置１２２ｆの抵抗値が十分降下している場合には、転写不良が起こらないため、記録用紙Ｓを利用した転写装置１２２ｆの暖機を無駄に行わなくてすむ。
【００５８】
以上、本発明の好ましい実施形態について詳述したが、本発明に係る特定の実施形態に限定されるものではなく、特許請求の範囲に記載された本発明の要旨の範囲内において、種々の変形・変更が可能である。
【符号の説明】
【００５９】
１００  画像形成装置
１２２  画像記録部
１２２ａ  コントローラ
１２２ｅ  感光体
１２２ｆ  転写装置
１２２ｇ  定着装置
１２２ｋ  レジストレーションローラ
Ｓ  記録用紙
【図１】
2012037686.tif 000003
【図２】
2012037686.tif 000004
【図３】
2012037686.tif 000005
【図４】
2012037686.tif 000006
【図５】
2012037686.tif 000007
【図６】
2012037686.tif 000008
【図７】
2012037686.tif 000009
【図８】
2012037686.tif 000010
【図９】
2012037686.tif 000011